(57)【要約】      （修正有）【課題】充填口にボンドを充填して防水効果を実現すると共に、内部構造を保護して使用時間を長くした、生産に便利なボンド充填の防水型の放熱排気扇を提供する。【解決手段】防水型の放熱排気扇は、機器筐体の本体外形は正方形構造で、本体１のセンター箇所に固定穴と固定沈穴を設け、固定穴と固定沈穴とが繋がってＴ形沈穴となっており、ファン本体５のセンターに譲位沈穴を設け、譲位沈穴の内に固定軸を設け、ゴム磁気棒３と鉄ケース４のセンター箇所にも全て貫通穴を設け、内部の取付には固定穴と固定沈穴のエリアでボンド充填技術工程を採用している。【選択図】図１
0003231790.tif 000002
【実用新案登録請求の範囲】
【請求項１】
生産に便利なボンド充填の防水型の放熱排気扇の一種であり,機器筐体の本体(1)、第一ボールベアリング(2)、ゴム磁気棒(3)、鉄ケース(4)、ファン本体(5)、ステンレススプリング(6)、防水カバー(7)、第二ボールベアリング(8)、引っ掛りステンレスバネ(9)、シリコン鋼チップ(10)、PCBA板(11)を含める。記述する機器筐体の本体(1)の外形は正方形構造で,記述する機器筐体の本体(1)のセンター箇所に固定穴(12)と固定沈穴(13)を設けていて,記述する固定穴(12)と固定沈穴(13)が繋がってT形沈穴となり,記述するファン本体(5)のセンターに譲位沈穴(51)を設けていて,記述する譲位沈穴(51)の内に固定軸(52)を設けていて,記述するゴム磁気棒(3)と鉄ケース(4)のセンター箇所にも全て貫通穴を設けていて,記述する鉄ケース(4)が譲位沈穴(51)の内に取付け,記述するゴム磁気棒(3)が鉄ケース(4)の内に取付け,記述するファン本体(5)、第一ボールベアリング(2)、引っ掛りステンレスバネ(9)、第二ボールベアリング(8)、引っ掛りステンレスバネ(9)が順に固定穴(12)の内に組み立て,固定穴(12)の外部に防水カバー(7)を設けていて,記述するシリコン鋼チップ(10)とPCBA板(11)が溶接固定で連接され,記述するPCBA板(11)にもモーダー固定子を溶接してから導線で固定して連接している。記述するPCBA板(11)とシリコン鋼チップ(10)とモーダー固定子とが溶接してなったユニットは固定沈穴(13)に取付けれることを特徴とする生産に便利なボンド充填の防水型の放熱排気扇。
【請求項２】
記述するシリコン鋼チップ(10)の外周には等間隔で分布するストッパ柱(14)を設けていて,記述するストッパ柱(14)にはエナメル線(15)を設けていて,記述するエナメル線(15)が巻取機によりシリコン鋼チップ(13)に巻き付かれ、またストッパ柱(14)により固定されることを特徴とする請求項１記載の生産に便利なボンド充填の防水型の放熱排気扇。
【請求項３】
記述する固定穴(12)と固定沈穴(13)にも全てエポキシ充填のシールコムを設けていてることを特徴とする請求項１記載の生産に便利なボンド充填の防水型の放熱排気扇。
【請求項４】
記述するファン本体(5)の外周に等間隔でファン(53)を設けていて,記述するファン(53)が流線型を呈することを特徴とする請求項１記載の生産に便利なボンド充填の防水型の放熱排気扇。
【請求項５】
記述する機器筐体の本体(1)が9225機器筐体設計を採用することを特徴とする請求項１記載の生産に便利なボンド充填の防水型の放熱排気扇。
【請求項６】
記述する機器筐体の本体(1)の辺角箇所に四個ねじ穴(16)を設けていてることを特徴とする請求項１記載の生産に便利なボンド充填の防水型の放熱排気扇。
【考案の詳細な説明】
【技術分野】
【０００１】
この実用新案は扇風機設備の技術分野に関わり,具体に生産に便利なボンド充填の防水型の放熱排気扇の一種に関わる。
【背景技術】
【０００２】
軸流扇風機は,用途が非常に広範で,その気流がファン羽根の軸と同方向で,例えば扇風機,空調モーダーの排気扇が軸流方式運行の扇風機であり、「軸流式」と呼ばれる理由が,気体が扇風機軸に平行して流動するわけである。軸流式扇風機は通常に流量規格が高いけど圧力規格が低い場合に使われる。軸流式扇風機を位置づけさせて空気を移動させる。軸流扇風機は主に扇風機羽根とキャビネットからなり,構造が簡単だけど、データー規格が非常に高い。従来の軸流扇風機は構造上などの不具合で長い間使ったら内部のデバイスが潤われて扇風機の使用寿命に影響し,そして動作中の風雑音があまり大きく,信頼性が不足である。
【考案の概要】
【考案が解決しようとする課題】
【０００３】
この実用新案は現有技術の不具合と不足に対して,生産に便利なボンド充填の防水型の放熱排気扇の一種を提示することを目指す。
【課題を解決するための手段】
【０００４】
上述の背景技術に指摘した問題を解決する為に,この実用新案は内部に位置付け穴を取付け、固定沈穴のエリアでボンド充填技術工程を採用し,ボンド充填口で統一に機器でボンドを充填して,生産を便利にさせて,取付位置穴のエリアをシールさせて、防水効果を実現すると共に電機との内部構造を保護する。扇風機は,ボンド充填技術により,製品の寿命をもっと長させ,外観構造設計を簡単化に,四本ねじでも楽に固定させて,取付けやすくなる。防水シール効果を優れさせて,IP68防水グラスに達することができる。扇風機内の風道を最適化にする設計は,固定穴とベアリングを合わせて,風圧を高め,風雑音を有効に下げる。キャビネットはエコ防火材料を採用して,国内外の色々な安全規格認証の安全規格に対応できる。独占特注の専用ドライブコントロールプログラムと信頼性高いシングルチップマイコンのチップを採用して,様々非常な使用をシミュレーションして,コントロールドライブプログラムを最適化にして,有名な知能通信設備メーカー数社の扇風機の信頼性低い問題を解決できる。また,全体の実用性も優れ,高いプロモーション価値を有している。
【０００５】
上述の目的を実現する為に,この実用新案は下記の技術ソリューションを採用する:それには機器筐体の本体1、第一ボールベアリング2、ゴム磁気棒3、鉄ケース4、ファン本体5、ステンレススプリング6、防水カバー7、第二ボールベアリング8、引っ掛りステンレスバネ9、シリコン鋼チップ10、PCBA板11を含める。記述する機器筐体の本体1の外形が正方形構造で,記述する機器筐体の本体1のセンター箇所に固定穴12と固定沈穴13を設けていて,記述する固定穴12と固定沈穴13が繋がってT形沈穴となり,記述するファン本体5のセンターに譲位沈穴51を設けていて,記述する譲位沈穴51の内に固定軸52を設けていて,記述するゴム磁気棒3と鉄ケース4のセンター箇所にも全て貫通穴を設けていて,記述する鉄ケース4が譲位沈穴51の内に取付け,記述するゴム磁気棒3は鉄ケース4の内に取付け,記述するファン本体5、第一ボールベアリング2、引っ掛りステンレスバネ9、第二ボールベアリング8、引っ掛りステンレスバネ9が順に固定穴12の内に組み立てれ,固定穴12の外に防水カバー7を設けていて,記述するシリコン鋼チップ10とPCBA板11が溶接により固定し連接して,記述するPCBA板11にもモーダー固定子を溶接されてから、導線により固定し連接して,記述するPCBA板11とシリコン鋼チップ10、とモーダー固定子が溶接されてなったユニットは固定沈穴13に取付けられる。
【０００６】
記述するシリコン鋼チップ10の外周には等間隔に等分布するストッパ柱14を設けていて,記述するストッパ柱14にエナメル線15を設けていて,記述するエナメル線15が巻取機によりシリコン鋼チップ13に巻き付き、またストッパ柱14により固定を行う。
【０００７】
記述する固定穴12と固定沈穴13にも全てエポキシ充填のシールコムを設けていてる。
【０００８】
記述するファン本体5の外周に等間隔でファン53を設けていて,記述するファン53が流線型を呈する。
【０００９】
記述する機器筐体の本体1が9225機器筐体設計を採用する。
【００１０】
記述する機器筐体の本体1の辺角箇所に四個ねじ穴16を設けていてる。
【００１１】
上述の技術ソリューションを採用した後,この実用新案の役立つ効果は下記の通りである。
【００１２】
内部取付位置の固定穴と固定沈穴のエリアがボンド充填技術工程を採用して,ボンド充填口で統一に機器でボンドを充填して、生産を便利させて,取付位置穴のエリアのシールを実現して防水効果に達すると共に電機と内部構造を保護する。扇風機がボンド充填技術により,製品の使用寿命をもっと長させる可能である。外観デザインと構造設計も簡単で,取付け安くて、四本ねじでも楽に固定できる。防水シール効果を優れさせて,IP68防水グラスに達することができる。扇風機内の風道を最適化にする設計は,固定穴とベアリングを合わせて,風圧を高め,風雑音を有効に下げる。キャビネットはエコ防火材料を採用して,国内外の色々な安全規格認証の安全規格に対応できる。独占特注の専用ドライブコントロールプログラムと信頼性高いシングルチップマイコンのチップを採用して,様々非常な使用をシミュレーションして,コントロールドライブプログラムを最適化にして,有名な知能通信設備メーカー数社の扇風機の信頼性低い問題を解決できる。また,全体の実用性も優れ,高いプロモーション価値を有している。
【図面の簡単な説明】
【００１３】
【図１】この実用新案の3D構造略図である。
【図２】この実用新案の機器筐体の本体1の構造略図である。
【図３】この実用新案のファン本体5の構造略図である。
【図４】この実用新案のシリコン鋼チップ10の構造略図である。
【考案を実施するための形態】
【００１４】
この実用新案実施例か現有技術上の技術ソリューションを更にはっきり説明する為に,下記には実例か現有技術記述に使わなければならない図面を簡単に紹介する。見え透いて,下記に記述する図面は、この実用新案の何件の実施例のみで,当分野の一般技術者にとって,創造的労動を支払わない前提のもとで,またこれらの図面に基づいて、その他の図面を獲得する可能がある。
【００１５】
図1〜図4の表示を参照して,この具体的な実施方法が採用する技術ソリューションは下記である。それは機器筐体の本体1、第一ボールベアリング2、ゴム磁気棒3、鉄ケース4、ファン本体5、ステンレススプリング6、防水カバー7、第二ボールベアリング8、引っ掛りステンレスバネ9、シリコン鋼チップ10、PCBA板11を含める,記述する機器筐体の本体1の外形が正方形構造で,記述する機器筐体の本体1のセンター箇所に固定穴12と固定沈穴13を設けていて,記述する固定穴12と固定沈穴13が繋がってT形沈穴となって,記述するファン本体5のセンターに譲位沈穴51を設けていて,記述する譲位沈穴51の内に固定軸52を設けていて,記述するゴム磁気棒3と鉄ケース4のセンター箇所にも全て貫通穴を設けていて,記述する鉄ケース4が譲位沈穴51の内に取付け,記述するゴム磁気棒3が鉄ケース4の内に取付け,記述するファン本体5、第一ボールベアリング2、引っ掛りステンレスバネ9、第二ボールベアリング8、引っ掛りステンレスバネ9が順に固定穴12の内に組み立てられ,固定穴12の外に防水カバー7を設けていて,記述するシリコン鋼チップ10とPCBA板11が溶接により固定し連接して,記述するPCBA板11にも、モーダー固定子を溶接してから、導線により固定し連接して,記述するPCBA板11とシリコン鋼チップ10、モーダー固定子が溶接されたユニットは固定沈穴13に取付けられ,記述する固定穴12と固定沈穴13にはボンド充填機よりボンドを充填して,ボンド充填口には統一に機器でボンドを充填して,生産を便利に,固定穴12と固定沈穴13の内のシールを実現して防水効果に達すると共に、電機と内部構造を保護する。扇風機はボンド充填技術により製品寿命をもっと長させる可能である。
【００１６】
もっと記述するシリコン鋼チップ10の外周には等間隔に等分布するストッパ柱14を設けていて,記述するストッパ柱14にはエナメル線15を設けていて,記述するエナメル線15が巻取機でシリコン鋼チップ13に巻き付き、そしてストッパ柱14により固定させる。
【００１７】
もっと記述する固定穴12と固定沈穴13にも全てエポキシ充填のシールコムを設けていて,有効に防水・防塵できて,IP68防水クラスに達することができる。
【００１８】
もっと記述するファン本体5の外周には等間隔にファン53を設けていて,記述するファン53が流線型を呈して,空気抵抗力の最小化に有利して,風を円滑に出して,風速損失が最小となる。
【００１９】
もっと記述する機器筐体の本体1が9225機器筐体設計を採用して,構造を安定に,性能もよくなる。
【００２０】
もっと記述する機器筐体の本体1の辺角箇所に四個ねじ穴16を設けていて,四本締付けねじにより扇風機を固定し連接させる。
【００２１】
上述の技術ソリューションを採用した後,この実用新案の役たつ効果は次である。
【００２２】
内部に位置付け穴を取付け、固定沈穴のエリアでボンド充填技術工程を採用し,ボンド充填口で統一に機器でボンドを充填して,生産を便利させて,取付位置穴のエリアをシールさせて、防水効果を実現すると共に電機との内部構造を保護する。扇風機はボンド充填技術により,製品の寿命をもっと長させ,外観構造設計を簡単化に,四本ねじでも楽に固定させて,取付けやすくなる。防水シール効果を優れさせて,IP68防水グラスに達することができる。扇風機内の風道を最適化にする設計は,固定穴とベアリングを合わせて,風圧を高め,風雑音を有効に下げる。キャビネットはエコ防火材料を採用して,国内外の色々な安全規格認証の安全規格に対応できる。独占特注の専用ドライブコントロールプログラムと信頼性高いシングルチップマイコンのチップを採用して,様々非常な使用をシミュレーションして,コントロールドライブプログラムを最適化にして,有名な知能通信設備メーカー数社の扇風機の信頼性低い問題を解決できる。また,全体の実用性も優れ,高いプロモーション価値を有している。
【００２３】
以上の叙述は,この実用新案の技術ソリューションを説明しかない為で、使用制限の意味がない。当分野の一般の技術者が、この実用新案の技術ソリューションを修正しても、同等変更しても、この実用新案技術ソリューションの精神と範囲から離さなければ、全てこの実用新案の特許請求の範囲に含められなければならない。
【符号の説明】
【００２４】
機器筐体の本体1、第一ボールベアリング2、ゴム磁気棒3、鉄ケース4、ファン本体5、譲位沈穴51、固定軸52、ファン53、ステンレススプリング6、防水カバー7、第二ボールベアリング8、引っ掛りステンレスバネ9、シリコン鋼チップ10、PCBA板11、固定穴12、固定沈穴13、ストッパ柱14、エナメル線15、ねじ穴16。
【図１】
0003231790.tif 000003
【図２】
0003231790.tif 000004
【図３】
0003231790.tif 000005
【図４】
0003231790.tif 000006
【手続補正書】
【提出日】令和3年3月1日(2021.3.1)
【手続補正１】
【補正対象書類名】実用新案登録請求の範囲
【補正対象項目名】全文
【補正方法】変更
【補正の内容】
【実用新案登録請求の範囲】
【請求項１】
生産に便利なボンド充填の防水型の放熱排気扇の一種であり,機器筐体の本体(1)、第一ボールベアリング(2)、ゴム磁気棒(3)、鉄ケース(4)、ファン本体(5)、ステンレススプリング(6)、防水カバー(7)、第二ボールベアリング(8)、引っ掛りステンレスバネ(9)、シリコン鋼チップ(10)、PCBA板(11)を含める。記述する機器筐体の本体(1)の外形は正方形構造で,記述する機器筐体の本体(1)のセンター箇所に固定穴(12)と固定沈穴(13)を設けていて,記述する固定穴(12)と固定沈穴(13)が繋がってT形沈穴となり,記述するファン本体(5)のセンターに譲位沈穴(51)を設けていて,記述する譲位沈穴(51)の内に固定軸(52)を設けていて,記述するゴム磁気棒(3)と鉄ケース(4)のセンター箇所にも全て貫通穴を設けていて,記述する鉄ケース(4)が譲位沈穴(51)の内に取付け,記述するゴム磁気棒(3)が鉄ケース(4)の内に取付け,記述するファン本体(5)、第一ボールベアリング(2)、引っ掛りステンレスバネ(9)、第二ボールベアリング(8)、引っ掛りステンレスバネ(9)が順に固定穴(12)の内に組み立て,固定穴(12)の外部に防水カバー(7)を設けていて,記述するシリコン鋼チップ(10)とPCBA板(11)が溶接固定で連接され,記述するPCBA板(11)にもモーダー固定子を溶接してから導線で固定して連接している。記述するPCBA板(11)とシリコン鋼チップ(10)とモーダー固定子とが溶接してなったユニットは固定沈穴(13)に取付けれることを特徴とする生産に便利なボンド充填の防水型の放熱排気扇。
【請求項２】
記述するシリコン鋼チップ(10)の外周には等間隔で分布するストッパ柱(14)を設けていて,記述するストッパ柱(14)にはエナメル線(15)を設けていて,記述するエナメル線(15)が巻取機によりシリコン鋼チップ(13)に巻き付かれ、またストッパ柱(14)により固定されることを特徴とする請求項１記載の生産に便利なボンド充填の防水型の放熱排気扇。
【請求項３】
記述する固定穴(12)と固定沈穴(13)にも全てエポキシ充填のシールコムを設けていることを特徴とする請求項１記載の生産に便利なボンド充填の防水型の放熱排気扇。
【請求項４】
記述するファン本体(5)の外周に等間隔でファン(53)を設けていて,記述するファン(53)が流線型を呈することを特徴とする請求項１記載の生産に便利なボンド充填の防水型の放熱排気扇。
【請求項５】
記述する機器筐体の本体(1)の辺角箇所に四個ねじ穴(16)を設けていてることを特徴とする請求項１記載の生産に便利なボンド充填の防水型の放熱排気扇。